(57)【要約】      （修正有）【課題】天井または天板の下面に取付けても、被掛止物を脱落不能に掛止できることによって使用範囲が拡大されるとともに、被掛止物に外力が作用しても掛止体と被掛止物との相対移動を抑制して、揺動による被掛止物の脱落を回避することができる掛止具を提供する。【解決手段】掛止具１は、裏面に被着体への取付部２を設けたベース３と、被掛止物１１を掛脱可能に掛止する上向きのフック部４が先端側に設けられて、投影側面形状が略釣針形の掛止体５とを備え、該掛止体５は、左右一対の基端部を幅方向にのびる第１水平軸線６まわりの回転を自在にベース３の盲貫孔に挿入する。【選択図】図２
0003145529.tif 000002
【実用新案登録請求の範囲】
【請求項１】
裏面に被着体への取付部を設けたベースと、被掛止物を掛脱可能に掛止するフック部が先端側に設けられた掛止体とを備える掛止具であって、
前記掛止体の基端部が幅方向にのびる第１水平軸線まわりの回転を自在に前記ベースに取り付けられていることを特徴とする掛止具。
【請求項２】
裏面に被着体への取付部を設けたベースと、被掛止物を掛脱可能に掛止するフック部が先端側に設けられた掛止体とを備える掛止具であって、
前記ベースの表面に掛止体受けが設けられ、前記掛止体の基端部が幅方向にのびる第１水平軸線まわりの回転を自在に前記掛止体受けに取り付けられていることを特徴とする掛止具。
【請求項３】
裏面に被着体への取付部を設けたベースと、被掛止物を掛脱可能に掛止するフック部が先端側に設けられた掛止体とを備える掛止具であって、
前記ベースの表面に掛止体受けが設けられ、前記掛止体の基端部が幅方向にのびる第１水平軸線まわりの回転を自在に前記掛止体受けに取り付けられているとともに、この掛止体受けは、前記ベースの前後方向にのびる第２水平軸線まわりの回転を自在に該ベースに取り付けられていることを特徴とする掛止具。
【請求項４】
請求項１，請求項２または請求項３に記載の掛止具において、
前記掛止体は、塑性加工された鋼板または鋼線からなることを特徴とする掛止具。
【考案の詳細な説明】
【技術分野】
【０００１】
本考案は、掛止具に係り、詳しくは、壁面、柱、天井や天板の下面などに貼着して、額ぶちやカレンダーなどを掛脱可能に支持または吊持状態で掛け止める掛止具に関するものである。
【背景技術】
【０００２】
従来の掛止具として、たとえば図１４，図１５に示す掛止具５０が知られている。
【０００３】
掛止具５０は、ホットメルト接着材層からなる被着体への取付部５１を裏面に設けた樹脂製のベース５２と、額ぶちやカレンダーなど掛止物（図示省略）を掛脱可能に支持または吊持状態で掛け止める上向きＵ字状のフック部５３が下端側に設けられ、かつ、上端部を下向き鉤形の基端部５４とし、この基端部５４とフック部５３が上下にのびる胴部５５を介して連続する投影側面形状が略釣針形で鋼板製の掛止体５６とを備え、この掛止体５６は、基端部５４および胴部５５を嵌合溝５７に嵌合した鉛直な姿勢でベース５２に取り付けられて、フック部５３をベース５２の下側で該ベース５２の表面５２ａから前方に離間させた状態で上向きに開放させている。
【０００４】
前記構成の掛止具５０は、被着体への取付部５１をライターの火焔などで炙って軟化溶融させたのち、図１６に示すように、ベース５２を壁や柱などの被着体５８の鉛直な表面５８ａに押し付けた状態で被着体への取付部５１を冷却固化させることで、鉛直な表面５８ａに強固に取り付けることができ、このように取り付けられた掛止具５０のフック部５３で額ぶちやカレンダーなどの被掛止物を掛脱可能に支持または吊持状態で直接掛け止めたり、フック部５３で被掛止物である棚を掛脱可能に支持状態で掛け止め、この棚の物品載置面にたとえば台所用品や日用品などの物品を載置することができる。
【特許文献１】特になし。
【考案の開示】
【考案が解決しようとする課題】
【０００５】
前記従来の掛止具５０は、掛止体５６が揺動不能にベース５２に取り付けられて、そのフック部５３がベース５２の表面５２ａから前方に離間した状態で上向きに開放しているので、図１６に示す壁や柱などの被着体５８の鉛直な表面５８ａに取り付けて額ぶちやカレンダーあるいは棚などの被掛止物を掛脱可能に支持または吊持状態で掛け止めるのにすこぶる好適であるといえる。ところが、図１７に示すように、被着体５９が天井または天板であると、掛止具５０は、被着体５９の水平な下向きの面５９ａに取り付けられてフック部５３が横向きに開放することになる。このように、フック部５３が横向きに開放した状態では、このフック部５３で被掛止物を吊持状態で掛け止めても、小さな外力によって簡単に脱落する。したがって、従来の掛止具５０は、図１７に示す天井または天板のように水平な下向きの面５９ａｂを有する被着体５９への取り付けが制約されて、使用範囲が図１６に示す鉛直な表面５８ａを有する壁や柱などの被着体５８のみの狭い範囲に制限される。
【０００６】
一方、図１６に示す従来の掛止具５０のフック部５３に吊持状態で掛け止めされている被掛止物（図示省略）に何等かの外力が作用して、被掛止物がベース５２の前後方向に揺動（矢印Ｒ１参照）すると、掛止体５６が揺動不能にベース５２に取り付けられていることによって、被掛止物とフック部５３との間に揺動方向（前後方向）の相対移動が生じる。そのため、被掛止物がベースの前後方向へ大きい振幅で揺動したり、あるいは初期の小さい振幅が経時によって増幅されて大きくなると、被掛止物がフック部５３から脱落するおそれを有しているので、フック部５３の先端上げ代ｈを大きく設定する必要があり、それだけ掛止具５０が大型化されて外観を低下させる一因になる。
【０００７】
他方、前記図示していない被掛止物に何等かの外力が作用して被掛止物がベース５２の幅方向（図１５の矢印Ｒ２参照）に揺動すると、被掛止物とフック部５３との間にフック部５３の軸まわりの相対移動が生じる。この場合、図示していない被掛止物の上端に設けた下向きのフック部がフック部５３に吊持状態で掛け止めされていると、該被掛止物がフック部の軸まわりに大きい振幅で揺動したり、あるいは初期の小さい振幅が経時によって増幅されて大きくなることで、前記下向きのフック部がフック部５３から外れて、被掛止物が脱落するおそれを有している。
【０００８】
本考案は、このような問題を解決するものであって、その目的とするところは、天井または天板の下面に取り付けても、被掛止物を脱落不能に掛止できることによって使用範囲が拡大されるとともに、被掛止物に外力が作用しても掛止体と被掛止物との相対移動を抑制して、揺動による被掛止物の脱落を回避することができる掛止具を提供することにある。
【課題を解決するための手段】
【０００９】
前記目的を達成するために、請求項１に記載の掛止具は、裏面に被着体への取付部を設けたベースと、被掛止物を掛脱可能に掛止するフック部が先端側に設けられた掛止体とを備える掛止具であって、
前記掛止体の基端部が幅方向にのびる第１水平軸線まわりの回転を自在に前記ベースに取り付けられていることを特徴としている。
【００１０】
これによれば、掛止体の基端部が幅方向にのびる第１水平軸線まわりの回転を自在にベースに取り付けられていることで、ベースの姿勢がどのように変換されても掛止体は常時鉛直な姿勢でベースに保持されることになる。そのため、ベースを天井または天板などの下面に取り付けても、フック部によって被掛止物を脱落不能に掛止することができるので、掛止具の使用範囲が拡大する。
【００１１】
また、掛止体の基端部が第１水平軸線まわりの回転を自在にベースに取り付けられていることで、フック部に吊持状態で掛け止めされている被掛止物に第１水平軸線まわりの外力が作用しても、被掛止物と掛止体が同時に第１水平軸線まわりに揺動することになって、被掛止物と掛止体との相対移動が抑制される。その結果、第１水平軸線まわりの揺動振幅が大きくても、あるいは初期の小さい揺動振幅が経時によって増幅されても、フック部から被掛止物が脱落するのを回避できる。そのため、フック部の先端上げ代を小さく設定できるので、それだけ掛止具が小型化されて外観を向上させる。
【００１２】
前記目的を達成するために、請求項２に記載の掛止具は、裏面に被着体への取付部を設けたベースと、被掛止物を掛脱可能に掛止するフック部が先端側に設けられた掛止体とを備える掛止具であって、
前記ベースの表面に掛止体受けが設けられ、前記掛止体の基端部が幅方向にのびる第１水平軸線まわりの回転を自在に前記掛止体受けに取り付けられていることを特徴としている。
【００１３】
これによれば、掛止体の基端部が幅方向にのびる第１水平軸線まわりの回転を自在に掛止体受けに取り付けられていることで、ベースの姿勢がどのように変換されても掛止体は常時鉛直な姿勢で掛止体受けに保持されることになる。そのため、ベースを天井または天板の下面に取り付けても、フック部によって被掛止物を脱落不能に掛止することができるので、掛止具の使用範囲が拡大する。
【００１４】
また、掛止体の基端部が第１水平軸線まわりの回転を自在に掛止体受けに取り付けられていることで、フック部に吊持状態で掛け止めされている被掛止物に第１水平軸線まわりの外力が作用しても、被掛止物と掛止体が同時に第１水平軸線まわりに揺動することになって、被掛止物と掛止体との相対移動が抑制される。その結果、第１水平軸線まわりの揺動振幅が大きくても、あるいは初期の小さい揺動振幅が経時によって増幅されても、上向きのフック部から被掛止物が脱落するのを回避できる。そのため、フック部の先端上げ代を小さく設定できるので、それだけ掛止具が小型化されて外観を向上させる。
【００１５】
前記目的を達成するために、請求項３に記載の掛止具は、裏面に被着体への取付部を設けたベースと、被掛止物を掛脱可能に掛止するフック部が先端側に設けられた掛止体とを備える掛止具であって、
前記ベースの表面に掛止体受けが設けられ、前記掛止体の基端部が幅方向にのびる第１水平軸線まわりの回転を自在に前記掛止体受けに取り付けられているとともに、この掛止体受けは、前記ベースの前後方向にのびる第２水平軸線まわりの回転を自在に該ベースに取り付けられていることを特徴としている。
【００１６】
これによれば、掛止体の基端部が幅方向にのびる第１水平軸線まわりの回転を自在に掛止体受けに取り付けられていることで、ベースの姿勢がどのように変換されても掛止体は常時鉛直な姿勢で掛止体受けに保持されることになる。そのため、ベースを天井または天板の下面に取り付けても、フック部によって被掛止物を脱落不能に掛止することができるので、掛止具の使用範囲が拡大する。
【００１７】
また、掛止体の基端部が第１水平軸線まわりの回転を自在に掛止体受けに取り付けられていることで、フック部に吊持状態で掛け止めされている被掛止物に第１水平軸線まわりの外力が作用しても、被掛止物と掛止体が同時に第１水平軸線まわりに揺動することになって、被掛止物と掛止体との相対移動が抑制される。その結果、第１水平軸線まわりの揺動振幅が大きくても、あるいは初期の小さい揺動振幅が経時によって増幅されても、フック部から被掛止物が脱落するのを防止できる。そのため、フック部の先端上げ代を小さく設定できるので、それだけ掛止具が小型化されて外観を向上させる。
【００１８】
さらに、掛止体受けは、ベースの前後方向にのびる第２水平軸線まわりの回転を自在に該ベースに取り付けられていることで、掛止具が壁や柱などの被着体の鉛直な表面に取り付けられて、フック部に吊持状態で掛け止めされている被掛止物に第２水平軸線まわりの外力が作用しても、被掛止物と掛止体および掛止体受けが同時に第２水平軸線まわりに揺動することになって、被掛止物と掛止体との相対移動が抑制される。その結果、第２水平軸線まわりの揺動振幅が大きくても、あるいは初期の小さい揺動振幅が経時によって増幅され、しかも、被掛止物は、その上端に設けた下向きのフック部が掛止体のフック部に吊持状態で掛け止めされていても、被掛止物側の下向きのフック部と掛止体のフック部との掛け止めが外れて、フック部から被掛止物が脱落するのを回避できる。
【００１９】
請求項１，請求項２または請求項３に記載の係る掛止具では、前記掛止体を、塑性加工された鋼板または鋼線によって構成することが望ましい。これによると、耐荷重性を向上させて重量の重い被掛止物の掛止を許容できる掛止体の成形が容易であるとともに、掛止体の加工性および生産性が向上する。
【考案の効果】
【００２０】
本考案に係る掛止具によれば、掛止体の基端部が幅方向にのびる第１水平軸線まわりの回転を自在にベースまたは掛止体受けに取り付けられていることで、ベースの姿勢がどのように変換されても掛止体は鉛直な姿勢で保持されることになる。そのため、ベースを天井または天板などの下面に取り付けても、フック部によって被掛止物を脱落不能に掛止することができるので、使用範囲が拡大されるとともに、被掛止物に外力が作用しても掛止体と被掛止物との相対移動を抑制して、揺動による被掛止物の脱落を回避することができる。
【考案を実施するための最良の形態】
【００２１】
以下、本考案の好ましい実施形態を図面に基づいて説明する。
図１は請求項１に記載の掛止具の実施形態を示す正面図、図２は図１の右側面図である。
これらの図において、掛止具１は、被着体への取付部２を裏面に設けたベース３と、被掛止物を掛脱可能に掛止する上向きのフック部４が先端側に設けられて、投影側面形状が略釣針形の掛止体５とを備えている。
【００２２】
被着体への取付部２は、ポリアミド系、ポリエステル系、ポリオレフィン系のＥＶＡ（エチレン・酢酸ビニル共重合体）などの樹脂材や合成ゴム材などのホットメルト接着材層からなり、ベース３の裏面に貼着して形成されている。
【００２３】
ベース３は、四つのコーナ部３ａ〜３ｄが面取りされた略正方形を呈する樹脂製の角盤からなり、その中心Ｏを通る水平線６上で互いに対向する二つのコーナ部３ｂ，３ｄには、水平線６を中心軸線とした盲貫孔７が形成されている。
【００２４】
掛止体５は、塑性加工された一連のステンレス鋼線からなり、前記上向きのフック部４は、ベース３の中心Ｏを通って前記水平線６に直交する鉛直線８の前方に位置しており、上向きに湾曲して前後にのびる底部４ａと、この底部４ａの前側に連続して略鉛直に上方へのびる前部４ｂおよび底部４ａの後側に連続して略鉛直に上方へ少しのびる後部４ｃとを備えている。そして、後部４ｃの上端をベース３の幅方向に拡開させて、ベース３のコーナ部３ｃと二つのコーナ部３ａ，３ｄとを結ぶ下向きの二辺３ｅ，３ｆに近接してのびる拡開部５ａ，５ａが形成され、各拡開部５ａ，５ａの上端を互いに対向する方向へ水平に折り曲げることで左右一対の基端部５ｂ，５ｂを形成しており、各基端部５ｂ，５ｂは、前記ベース３における二つのコーナ部３ｂ，３ｄに形成した盲貫孔７に軸線まわりの回転を自在に挿入されている。これにより、掛止体５の基端部５ｂ，５ｂは、前記水平線６をベース３の幅方向にのびる第１水平軸線６として、該第１水平軸線６まわりの回転を自在にベース３に取り付けられることになる。
【００２５】
前記掛止具１は、被着体への取付部２をライターの火焔などで炙って軟化溶融させたのち、ベース３を壁や柱などの被着体９の鉛直な表面９ａに押し付けた状態で被着体への取付部２を冷却固化させることで、前記鉛直な表面９ａに強固に取り付けることができ、このように取り付けられた掛止具１のフック部４で額ぶちやカレンダーなどの被掛止物（図示省略）を掛脱可能に支持または吊持状態で直接掛け止めたり、フック部４で被掛止物である棚（図示省略）を掛脱可能に支持状態で掛け止め、この棚の物品載置面にたとえば台所用品や日用品などの物品を載置することができる。
【００２６】
一方、掛止体５の上端に形成した左右一対の基端部５ｂ，５ｂがベース３の幅方向にのびる第１水平軸線６まわりの回転を自在にベース３に取り付けられていることで、ベース３の姿勢がどのように変換されても掛止体５は常時鉛直な姿勢でベース３に保持されることになる。そのため、ベース３を図３に示す天井または天板などの被着体１０の下面１０ａに取り付けても、上向きのフック部４によって被掛止物１１を脱落不能に掛止することができるので、掛止具１の使用範囲が拡大する。
【００２７】
他方、図２の状態で、上向きのフック部４に吊持状態で掛け止めされている被掛止物１１に、第１水平軸線６まわりの外力が作用しても、掛止体５の左右一対の基端部５ｂ，５ｂが第１水平軸線６まわりに回動することによって、被掛止物１１と掛止体５が同時に第１水平軸線６まわりに揺動（矢印Ｒ１参照）することになって、被掛止物１１と掛止体５との相対移動が抑制される。その結果、第１水平軸線６まわりの揺動振幅が大きくても、あるいは初期の小さい揺動振幅が経時によって増幅されても、上向きのフック部４から被掛止物１１が脱落するのを回避できる。そのため、フック部４の前部４ｂの上げ代ｈ、つまり、フック部４の先端上げ代ｈを小さく設定できるので、それだけ掛止具１が小型化されて外観がよくなる。
【００２８】
また、図３の状態で、上向きのフック部４に吊持状態で掛け止めされている二点鎖線で示す被掛止物１１に、第１水平軸線６まわりの外力が作用しても、掛止体５の左右一対の基端部５ｂ，５ｂが第１水平軸線６まわりに回動することによって、被掛止物１１と掛止体５が同時に第１水平軸線６まわりに揺動（矢印Ｒ２参照）することになって、被掛止物１１と掛止体５との相対移動が抑制される。その結果、第１水平軸線６まわりの揺動振幅が大きくても、あるいは初期の小さい揺動振幅が経時によって増幅されても、上向きのフック部４から被掛止物１１が脱落するのを回避できる。そのため、フック部４の前記前部上げ代ｈが小さく設定されていてもよい。
【００２９】
つぎに、請求項２に記載の掛止具について説明する。
図４は請求項２に記載の掛止具の実施形態を示す正面図、図５は図４の右側面図である。なお、前記図１〜図３で説明した請求項１に記載の掛止具と同一または相当部分には同一符号を付して重複する構造の説明は省略する。
【００３０】
図４，図５において、掛止具１は、円盤形のベース３と、該ベース３の表面に形成した円柱形の掛止体受け１２とを備え、掛止体受け１２の外径は、ベース３の外径よりも十分に小さい値に設定されており、掛止体５の各基端部５ｂ，５ｂは、掛止体受け１２に形成した盲貫孔７に軸線まわりの回転を自在に挿入されている。
【００３１】
このような構成であれば、掛止体５における拡開部５ａ、５ａの拡開度（開き角度）を図１〜図３で説明した請求項１に記載の掛止具１における拡開部５ａ、５ａの拡開度（開き角度）よりも小さく抑えることができるので、シンプルな構造の掛止体５の使用が可能になる。
【００３２】
また、掛止体５の基端部５ａ、５ａが幅方向にのびる第１水平軸線６まわりの回転を自在に掛止体受け１２に取り付けられていることで、ベース３の姿勢がどのように変換されても掛止体５は鉛直な姿勢で保持されることになる。そのため、ベース３を図６のように、天井または天板などの被着体１０の下面１０ａに取り付けても、上向きのフック部４によって被掛止物１１を脱落不能に掛止することができるので、使用範囲が拡大される。
【００３３】
一方、図５において、上向きのフック部４に吊持状態で掛け止めされている被掛止物１１に、第１水平軸線６まわりの外力が作用しても、掛止体５の左右一対の基端部５ｂ，５ｂが第１水平軸線６まわりに回動することによって、二点鎖線で示す被掛止物１１と掛止体５が同時に第１水平軸線６まわりに揺動（矢印Ｒ１参照）することになって、被掛止物１１と掛止体５との相対移動が抑制される。その結果、第１水平軸線６まわりの揺動振幅が大きくても、あるいは初期の小さい揺動振幅が経時によって増幅されても、上向きのフック部４から被掛止物１１が脱落するのを回避できる。そのため、フック部４の前部４ｂの上げ代ｈ、つまり、フック部４の先端上げ代ｈを小さく設定できるので、それだけ掛止具１が小型化されて外観がよくなる。
【００３４】
他方、図６の状態で、上向きのフック部４に吊持状態で掛け止めされている被掛止物１１に、第１水平軸線６まわりの外力が作用しても、掛止体５の左右一対の基端部５ｂ，５ｂが第１水平軸線６まわりに回動することによって、被掛止物１１と掛止体５が同時に第１水平軸線６まわりに揺動（矢印Ｒ２参照）することになって、被掛止物１１と掛止体５との相対移動が抑制される。その結果、第１水平軸線６まわりの揺動振幅が大きくても、あるいは初期の小さい揺動振幅が経時によって増幅されても、上向きのフック部４から被掛止物１１が脱落するのを回避できる。そのため、フック部４の前部上げ代ｈが小さく設定されていてもよい。
【００３５】
つぎに、請求項３に記載の掛止具について説明する。
図７は請求項３に記載の掛止具の第１実施形態を示す正面図、図８は図７の右側面図である。なお、前記図１〜図３で説明した請求項１に記載の掛止具および図４〜図６で説明した請求項２に記載の掛止具と同一または相当部分には同一符号を付して重複する構造の説明は省略する。
【００３６】
図７，図８において、掛止具１は、角盤からなるベース３と、このベース３と略同じ大きさと形状を有する角盤からなり、ベース３の表面側に配置される掛止体受け１２を備え、この掛止体受け１２は、回転機構１３を介してベース３の前後方向にのびる第２水平軸線１４まわりの回転を自在に該ベースに取り付けられており、第２水平軸線１４は中心Ｏを通って前記第１水平軸線６に直交している。
【００３７】
このような構成であれば、掛止体５の基端部５ｂ、５ｂが幅方向にのびる第１水平軸線６まわりの回転を自在に掛止体受け１２に取り付けられていることで、ベース３の姿勢がどのように変換されても掛止体５は鉛直な姿勢で保持されることになる。そのため、ベース３を図９のように、天井または天板などの被着体１０の下面１０ａに取り付けても、上向きのフック部４によって被掛止物１１を脱落不能に掛止することができるので、使用範囲が拡大される。
【００３８】
一方、図８において、上向きのフック部４に吊持状態で掛け止めされている被掛止物１１に、第１水平軸線６まわりの外力が作用しても、掛止体５の基端部５ｂ，５ｂが第１水平軸線６まわりに回動することによって、被掛止物１１と掛止体５が同時に第１水平軸線６まわりに揺動（矢印Ｒ１参照）することになって、被掛止物１１と掛止体５との相対移動が抑制される。その結果、第１水平軸線６まわりの揺動振幅が大きくても、あるいは初期の小さい揺動振幅が経時によって増幅されても、上向きのフック部４から被掛止物１１が脱落するのを回避できる。そのため、フック部４の前部４ｂの上げ代ｈ、つまり、フック部４の先端上げ代ｈを小さく設定できるので、それだけ掛止具１が小型化されて外観がよくなる。
【００３９】
他方、図９の状態で、上向きのフック部４に吊持状態で掛け止めされている被掛止物１１に、第１水平軸線６まわりの外力が作用しても、掛止体５の基端部５ｂ，５ｂが第１水平軸線６まわりに回動することによって、被掛止物１１と掛止体５が同時に第１水平軸線６まわりに揺動（矢印Ｒ２参照）することになって、被掛止物１１と掛止体５との相対移動が抑制される。その結果、第１水平軸線６まわりの揺動振幅が大きくても、あるいは初期の小さい揺動振幅が経時によって増幅されても、上向きのフック部４から被掛止物１１が脱落するのを回避できる。そのため、フック部４の前部上げ代ｈが小さく設定されていてもよい。
【００４０】
さらに、掛止体受け１２は、ベース３の前後方向にのびる第２水平軸線１４まわりの回転を自在に該ベース３に取り付けられていることで、図７，図８のように、掛止具１が壁や柱などの被着体９の鉛直な表面９ａに取り付けられて、フック部４に吊持状態で掛け止めされている被掛止物１１に第２水平軸線１４まわりの外力が作用しても、被掛止物１１と掛止体５および掛止体受け１２が同時に第２水平軸線まわりに揺動（矢印Ｒ３参照）することになって、被掛止物１１と掛止体５との相対移動が抑制される。その結果、第２水平軸線１４まわりの揺動振幅が大きくても、あるいは初期の小さい揺動振幅が経時によって増幅され、しかも、被掛止物１１は、図１０に示すように、その上端に設けた下向きのフック部１１ａが掛止体５の上向きのフック部４の底部４ａに隙間１５を有して吊持状態で掛け止めされていても、下向きのフック部１１ａと上向きのフック部４の底部４ａとの掛け止めが外れて、上向きのフック部４から被掛止物１１が脱落するのを回避できる。
【００４１】
図１１は請求項３に記載の掛止具の第２実施形態を示す正面図、図１２は図１１の右側面図、図１３は天井または天板などの下面に取り付けた状態の説明図である。なお、前記図７〜図９で説明した第１実施形態と同一または相当部分には同一符号を付して重複する構造の説明は省略する。図１１〜図１３に示すように構成された第２実施形態の掛止具１であっても、図７〜図１０で説明した第１実施形態の掛止具１と同様の作用・効果を奏することができる。
【００４２】
前記実施形態で説明したように、掛止体５が塑性加工されたステンレス鋼線によって構成されていることにより、耐荷重性を向上させて重量の重い被掛止物の掛止を許容できる掛止体５の成形が容易であるので、掛止体５の加工性および生産性が向上する。これらの効果は、掛止体５を塑性加工されたステンレス鋼板によって構成しても発揮することができる。
【００４３】
前記実施形態では、被着体への取付部２をホットメルト接着材層によって構成しているが、被着体が着磁性を有する金属であれば、被着体への取付部２を永久磁石で構成すればよい。
【図面の簡単な説明】
【００４４】
【図１】請求項１に記載の掛止具の実施形態を示す正面図である。
【図２】図１の右側面図である。
【図３】図１の掛止具を天井または天板などの下面に取付けた状態の説明図である。
【図４】請求項２に記載の掛止具の実施形態を示す正面図である。
【図５】図４の右側面図である。
【図６】図４の掛止具を天井または天板などの下面に取付けた状態の説明図である。
【図７】請求項３に記載の掛止具の第１実施形態を示す正面図である。
【図８】図７の右側面図である。
【図９】図７の掛止具を天井または天板などの下面に取付けた状態の説明図である。
【図１０】被掛止物の下向きフック部が掛止体の上向きフック部に吊持状態で掛け止められた状態の一例を拡大して示す説明図である。
【図１１】請求項３に記載の掛止具の第２実施形態を示す正面図である。
【図１２】図１１の右側面図である。
【図１３】図１１の掛止具を天井または天板などの下面に取付けた状態の説明図である。
【図１４】従来例を裏側から見た斜視図である。
【図１５】従来例を表側から見た斜視図である。
【図１６】従来例を被着体の鉛直な表面に取付けた状態の説明図である。
【図１７】従来例を天井または天板などの下面に取付けた状態の説明図である。
【符号の説明】
【００４５】
１  掛止具
２  被着体への取付部
３  ベース
４  上向きのフック部
５  掛止体
５ｂ  掛止体の基端部
６  第１水平軸線
１１  被掛止物
１２  掛止体受け
１４  第２水平軸線
【図１】
0003145529.tif 000003
【図２】
0003145529.tif 000004
【図３】
0003145529.tif 000005
【図４】
0003145529.tif 000006
【図５】
0003145529.tif 000007
【図６】
0003145529.tif 000008
【図７】
0003145529.tif 000009
【図８】
0003145529.tif 000010
【図９】
0003145529.tif 000011
【図１０】
0003145529.tif 000012
【図１１】
0003145529.tif 000013
【図１２】
0003145529.tif 000014
【図１３】
0003145529.tif 000015
【図１４】
0003145529.tif 000016
【図１５】
0003145529.tif 000017
【図１６】
0003145529.tif 000018
【図１７】
0003145529.tif 000019